(57)【要約】【課題】光ディスクを縦方向に保持して再生及び／又は記録動作する光ディスク装置において、光ディスクを装着する際の装着ミスによる光ディスクの落下を防止する。【解決手段】光ディスク装置のディスク装填部２は、回動軸４１を中心に回動するレバー４を備え、レバー４は光ディスク１０を受け止めるディスク受け部５と、カバードア３のボス３１と当接するボス当接部６を有している。カバードア３が開かれている状態では、レバー４はバネ４２によってディスク受け部５が光ディスク１０を受け止めることができる位置に回動付勢されており、装着される光ディスク１０を受け止めて落下を防止する。一方、カバードア３の閉動作時には、レバー４はボス当接部６がボス３１で押圧されることによって回動し、ディスク受け部５をターンテーブル２２に保持されている光ディスク１０と当接しない位置に移動させる。【選択図】        図３
2005025858.tif 000002
【特許請求の範囲】
【請求項１】
光ディスクを縦方向に保持して回転するターンテーブルを有するディスク装填部と、このディスク装填部を覆い、縦方向に設けられた支軸の回りに回動して開閉動作するカバードアとを備えた光ディスク装置において、
前記ディスク装填部には、横方向の軸回りに回動可能なレバーが設けられ、
前記レバーは、前記ターンテーブルに光ディスクを装着する際に該光ディスクをガイドすると共に、光ディスクの落下を防止するために下方から該光ディスクを受け止めるディスク受け部と、前記カバードアの閉動作時及び閉状態時に該カバードアのボスが当接されるボス当接部とを備え、かつ、バネによって、前記ディスク受け部が光ディスクを受け止めることができるディスク受け位置に移動するように回動付勢されており、
前記ディスク受け部と前記ボス当接部とは、一体的であって、それぞれが回動軸を挟んで装置手前方向と下方向に伸びており、
前記レバーは、前記カバードアの閉動作状態では、前記ボス当接部が前記ボスにより押圧されることにより前記バネの付勢力に抗して回動して、前記ディスク受け部を前記ターンテーブルに保持されている光ディスクと当接しない位置に移動させ、さらに、前記カバードアが閉状態から開状態に移行されるときに前記バネの付勢力により前記ボス当接部を介して前記カバードアを押し開くと共に前記ディスク受け部を元の位置に復帰させて光ディスクの落下を防止することを特徴とする光ディスク装置。
【請求項２】
光ディスクを縦方向に保持して回転するターンテーブルを有するディスク装填部と、このディスク装填部を覆うカバードアとを備えた光ディスク装置において、
前記ディスク装填部には、横方向の軸回りに回動可能なレバーが設けられ、
前記レバーは、前記ターンテーブルに光ディスクを装着する際に、光ディスクの落下を防止するために該光ディスクを受け止めるディスク受け部と、前記カバードアの閉動作時及び閉状態時に該カバードアの一部が当接される当接部とを備え、かつ、付勢手段によって、前記ディスク受け部が光ディスクを受け止めることができるディスク受け位置に移動するように回動付勢されており、
前記ディスク受け部と前記当接部とは、一体的であって、それぞれが回動軸を挟んで異なる方向に伸びており、
前記レバーは、前記カバードアの閉動作状態では、前記当接部が前記カバードアにより押圧されることにより前記付勢手段の付勢力に抗して回動して、前記ディスク受け部を前記ターンテーブルに保持されている光ディスクと当接しない位置に移動させることを特徴とする光ディスク装置。
【請求項３】
前記カバードアが縦方向に設けられた支軸の回りに回動して開閉動作する請求項２に記載の光ディスク装置。
【発明の詳細な説明】
【０００１】
【発明の属する技術分野】
本発明は、光ディスク装置に関するものであり、特に、光ディスクを縦方向に保持して使用する光ディスク装置に関する。
【０００２】
【従来の技術】
従来から、光ディスクに対して情報の再生／記録を行う光ディスク装置において、縦方向に光ディスクを保持する光ディスク装置（以下、縦置き型光ディスク装置という）が知られている。このような装置は、装置の奥行き方向の幅を小さくできる利点があり、例えば、部屋の壁等に取り付けて家屋内の各部屋へ音楽配信するホームコントローラ等に使用される。このように壁に取り付けられて使用される光ディスク装置は、ユーザが操作し易いように、ユーザが装置の正面に立った状態で、ユーザの目線の位置にくるように壁の高いに設置される。
【０００３】
また、縦置き型光ディスク装置としては、カバードアが装置の手前方向に所定角度傾いて開き、上方から光ディスクを挿入して装着するタイプの装置が知られている。しかし、このタイプの装置では、装置が壁の高い位置に取り付けられた場合、カバードアが邪魔になり光ディスクの装着／脱着が困難であった。一方、図４に示されるように、カバードア１０３が支軸１３０を中心に回動して横方向に開くタイプの装置１０１が知られている。このようなタイプの装置１０１は、光ディスクを装填するディスク装填部１０２が装置１０１の正面方向に大きく開放されるため、光ディスクの装着／脱着が容易となる。しかしながら、このタイプの装置１０１では、光ディスクの装着をミスした場合、光ディスクを受け止める部分がなく、光ディスクが高い位置から落下して破損してしまう虞があった。
【０００４】
一方、ディスクトレーの外周に設けられたロックアームで光ディスクを保持することにより、光ディスクをディスクトレーに垂直に保持して光ディスク装置本体内にローディングする光ディスク装置が知られている（例えば、特許文献１参照）。
【０００５】
【特許文献１】
特開平６−３２５４５５号公報
【０００６】
【発明が解決しようとする課題】
しかし、特許文献１に記載の発明においては、ロックアームにより光ディスクをディスクトレーに垂直に保持してローディングすることができるものの、光ディスクの装着をミスした場合に光ディスクの落下を防ぐことを目的とするものではない。
【０００７】
本発明は、上述した問題点を解決するためになされたものであり、縦置き型光ディスク装置において、光ディスクの装着をミスした際に光ディスクの落下を防ぐことができる光ディスク装置を提供することを目的とする。
【０００８】
【課題を解決するための手段】
上記目的を達成するために請求項１の発明は、光ディスクを縦方向に保持して回転するターンテーブルを有するディスク装填部と、このディスク装填部を覆い、縦方向に設けられた支軸の回りに回動して開閉動作するカバードアとを備えた光ディスク装置において、前記ディスク装填部には、横方向の軸回りに回動可能なレバーが設けられ、前記レバーは、前記ターンテーブルに光ディスクを装着する際に該光ディスクをガイドすると共に、光ディスクの落下を防止するために下方から該光ディスクを受け止めるディスク受け部と、前記カバードアの閉動作時及び閉状態時に該カバードアのボスが当接されるボス当接部とを備え、かつ、バネによって、前記ディスク受け部が光ディスクを受け止めることができるディスク受け位置に移動するように回動付勢されており、前記ディスク受け部と前記ボス当接部とは、一体的であって、それぞれが回動軸を挟んで装置手前方向と下方向に伸びており、前記レバーは、前記カバードアの閉動作状態では、前記ボス当接部が前記ボスにより押圧されることにより前記バネの付勢力に抗して回動して、前記ディスク受け部を前記ターンテーブルに保持されている光ディスクと当接しない位置に移動させ、さらに、前記カバードアが閉状態から開状態に移行されるときに前記バネの付勢力により前記ボス当接部を介して前記カバードアを押し開くと共に前記ディスク受け部を元の位置に復帰させて光ディスクの落下を防止するものである。
【０００９】
この構成においては、カバードアが縦方向に設けられた支軸の回りに回動して開動作することによりディスク装填部が装置正面方向に大きく開放されるため、光ディスク装置が壁の高い位置に設置された場合においても、光ディスクの装着時にカバードアが邪魔にならない。
【００１０】
また、カバードアが開いている状態では、ディスク受け部がレバーに加えられるバネの付勢力によってディスク受け位置に配置されるため、光ディスクをターンテーブルに装着する際、このディスク受け部を装着ガイドとして使用することができる共に、光ディスクの装着をミスした場合においてもディスク受け部で光ディスクを受け止めることができる。
【００１１】
また、カバードアを閉じる際には、ディスク受け部は、レバーのボス当接部がカバードアのボスにより押圧されることによってバネの付勢力に抗して回動し、再生及び／又は記録動作中の光ディスクと当接しない位置に移動する。
【００１２】
また、カバードアはレバーのボス当接部からボスを介して伝達されるバネの付勢力に抗して閉じられているため、カバードアが閉状態から開状態に移行されるときには、レバーはバネの付勢力により回動し、カバードアを押し開ける。
【００１３】
請求項２の発明は、光ディスクを縦方向に保持して回転するターンテーブルを有するディスク装填部と、このディスク装填部を覆うカバードアとを備えた光ディスク装置において、前記ディスク装填部には、横方向の軸回りに回動可能なレバーが設けられ、前記レバーは、前記ターンテーブルに光ディスクを装着する際に、光ディスクの落下を防止するために該光ディスクを受け止めるディスク受け部と、前記カバードアの閉動作時及び閉状態時に該カバードアの一部が当接される当接部とを備え、かつ、付勢手段によって、前記ディスク受け部が光ディスクを受け止めることができるディスク受け位置に移動するように回動付勢されており、前記ディスク受け部と前記当接部とは、一体的であって、それぞれが回動軸を挟んで異なる方向に伸びており、前記レバーは、前記カバードアの閉動作状態では、前記当接部が前記カバードアにより押圧されることにより前記付勢手段の付勢力に抗して回動して、前記ディスク受け部を前記ターンテーブルに保持されている光ディスクと当接しない位置に移動させるものである。
【００１４】
この構成においては、カバードアが開いている状態では、ディスク受け部がレバーに加えられる付勢力によってディスク受け位置に配置されるため、光ディスクをターンテーブルに装着する際、光ディスクの装着をミスした場合においてもディスク受け部で光ディスクを受け止めることができる。また、カバードアを閉じる際には、ディスク受け部は、カバードアから押圧されることによって付勢手段の付勢力に抗して回動し、再生及び／又は記録動作中の光ディスクと当接しない位置に移動する。
【００１５】
請求項３の発明は、請求項２に記載の発明において、前記カバードアが縦方向に設けられた支軸の回りに回動して開閉動作するものである。
【００１６】
この構成においては、カバードアが縦方向に設けられた支軸の回りに回動して開動作することによりディスク装填部が装置正面方向に大きく開放されるため、光ディスク装置が壁の高い位置に設置された場合においても、光ディスクの装着時にカバードアが邪魔にならない。
【００１７】
【発明の実施の形態】
本発明の一実施形態による光ディスク装置について図面を参照して説明する。図１、図２において、光ディスク装置１は、ＣＤ（コンパクトディスク）やＤＶＤ（デジタルビデオディスク）等の光ディスクに対して、情報の再生及び／又は記録を行う装置であり、光ディスク１０を縦方向に保持して再生及び／又は記録動作を行う。光ディスク装置１は、ユーザが操作し易いように、ユーザが装置１の正面に立った状態でユーザの目線の位置にくるように壁の高い位置に設置される。
【００１８】
光ディスク装置１は、装置本体の筐体１’に凹状に形成され、光ディスク１０が装填される空間を成すディスク装填部２と、このディスク装填部２を覆うカバードア３とを備えている。ディスク装填部２には、光ディスク１０を保持するディスク保持部２１と、保持した光ディスク１０を駆動モータＭにより回転させるターンテーブル２２と、光ピックアップ２３と、横方向に位置する回動軸４１を中心に回動するレバー４とが設けられている。光ディスク１０は、本装置１に矢印Ａに示すように装填されることで、ターンテーブル２２によって回転駆動され、光ピックアップ２３によって情報の再生及び／又は記録が行われる。
【００１９】
カバードア３は、ドアオープンボタン３２を装置１の表側から押すことにより、不図示のロック機構が解除され、縦方向の支軸３０の回りに回動して開かれる。カバードア３が開かれた際、ディスク装填部２は装置１の正面方向に大きく開放されるため、光ディスク装置１が壁の高い位置に設置された場合においても、光ディスク１０の装着の際にカバードア３が邪魔にならず、光ディスク１０の装着作業が容易となる。また、カバードア３の裏面３ａには、カバードア３の閉動作をレバー４に伝達するためにボス３１が設けられている。
【００２０】
レバー４は、回動軸４１から開口部５０を通って装置１の手前方向に伸びるディスク受け部５と、回動軸４１から下方向に伸び、開口部６０を通って装置１の手前方向に形成されたボス当接部６とを有している。ディスク受け部５とボス当接部６は、回動軸４１を挟んで一体物として構成されている。ディスク受け部５は、ターンテーブル２２に保持される光ディスク１０を受け止めるためのものであり、ボス当接部６はカバードア３の閉動作時及び閉状態時にボス３１と当接する部分である。また、レバー４の回動軸４１には、バネ４２が取り付けられている。レバー４は、バネ４２によってディスク受け部５が光ディスク１０を受け止めることができるディスク受け位置（図３（ａ）に示した位置）に移動するように矢印ａ方向に回動付勢されている。
【００２１】
次に、カバードア３及びレバー４の動作について、上記に加えて図３（ａ），（ｂ）を参照して説明する。図３（ａ），（ｂ）はそれぞれカバードア３が開いた状態と閉じた状態を示す。図３（ａ）に示されるように、レバー４のボス当接部６がカバードア３のボス３１により押圧されていない状態、すなわち、カバードア３が開かれている状態では、ディスク受け部５はレバー４に加えられるバネ４２の付勢力によって、ディスク受け位置に配置されている。ユーザはこの状態で、光ディスク１０を上方からディスク受け部５に挿し込みターンテーブル２２に装着する。この際、ディスク受け部５は装着ガイドとして使用されると共に、ユーザが光ディスク１０の装着をミスした場合においても光ディスク１０を受け止めて光ディスク１０の落下を防止する。このため、光ディスク装置１が壁の高い位置に設置された場合においても、光ディスク１０が高い位置から落下して破損することがない。
【００２２】
次に、カバードア３が閉じられるときのレバー４の動作を説明する。カバードア３が閉じられると、カバードア３に設けられたボス３１がレバー４のボス当接部６に当接する。さらに、カバードア３が閉じられると、図３（ｂ）に示されるように、ボス３１によってボス当接部６が押圧され、レバー４はバネ４２の力に抗してバネ４２の付勢力とは逆の矢印ｂ方向に回動軸４１を中心に回動する。レバー４が矢印ｂ方向に回動することにより、レバー４に設けられたディスク受け部５が装置１の手前方向に揺動し、ターンテーブル２２に保持された光ディスク１０と当接しない位置に移動する。このため、ディスク受け部５が光ディスク装置１の再生／記録動作に影響を与えることがなく、光ディスク１０に対して情報の再生及び／又は記録を行うことができる。
【００２３】
また、カバードア３が所定位置まで閉じられるとロック機構が作動してカバードア３はロックされる。このとき、カバードア３はレバー４のボス当接部６からボス３１を介して伝達されるバネ４２の力に抗して閉じられている。このため、カバードア３のドアオープンボタン３２が押され、カバードア３のロック機構が解除されたときには、レバー４はバネ４２の付勢力により矢印ａ方向に回動し、カバードア３を押し開く。すなわち、光ディスク装置１は、ドアオープンボタン３２が押されると、カバードア３が少しだけ開く、いわゆるセミオープン機能を備えることになる。
【００２４】
なお、本発明は上記実施形態の構成に限られることなく種々の変形が可能である。例えば、レバー４の形状は、回動軸４１を中心に回動することで、カバードア３の閉動作の作用方向を変えてディスク受け部５を揺動させるものであればよい。また、レバー４にカバードア３の閉動作を伝達する手段としては、ボス３１及びボス当接部６の組み合わせに限られず、カバードア３の閉動作をレバー４に伝達できるものであればよい。
【００２５】
【発明の効果】
以上のように請求項１の発明によれば、カバードアが縦方向に設けられた支軸の回りに回動して開閉動作することによりディスク装填部は装置正面方向に大きく開放されるため、光ディスク装置が壁の高い位置に設置された場合においても、光ディスクの装着の際にカバードアが邪魔にならず、光ディスクの装着作業が容易となる。
【００２６】
また、カバードアが開いている状態では、レバーに加えられるバネの付勢力によりディスク受け部がディスク受け位置に配置されるため、光ディスクをターンテーブルに装着する際、このディスク受け部を装着ガイドとして使用することができる共に、光ディスクの装着をミスした場合においてもディスク受け部で光ディスクを受け止めて落下を防ぐことができる。このため、光ディスク装置が壁の高い位置に設置された場合においても、光ディスクが高い位置から落下して破損することがない。
【００２７】
また、カバードアを閉じる際には、ディスク受け部は、レバーのボス当接部がカバードアのボスにより押圧されることによって、ターンテーブルに取り付けられた光ディスクと当接しない位置に移動するため、ディスク受け部が光ディスク装置の再生／記録動作に影響を与えることがなく、光ディスクに対して情報の再生及び／又は記録を行うことができる。
【００２８】
また、カバードアはレバーのボス当接部からボスを介して伝達されるバネの付勢力に抗して閉じられているため、カバードアが閉状態から開状態に移行されるときには、レバーはバネの付勢力により回動し、カバードアを押し開ける。すなわち、カバードアが開かれる際に、バネの付勢力を利用してカバードアが開くセミオープン機能が得られる。
【００２９】
請求項２の発明によれば、カバードアが開いている状態では、レバーに加えられる付勢力により、ディスク受け部がディスク受け位置に配置されるため、光ディスクの装着をミスした場合においてもディスク受け部で光ディスクを受け止めることができ、装着ミスによる光ディスクの落下を防ぐことができる。また、カバードアの閉動作時には、ディスク受け部はターンテーブルに取り付けられた光ディスクと当接しない位置に移動するため、ディスク受け部が光ディスク装置の再生／記録動作に影響を与えることはない。
【００３０】
請求項３の発明によれば、カバードアが縦方向に設けられた支軸の回りに回動して開閉動作することによりディスク装填部は装置正面方向に大きく開放されるため、光ディスク装置が壁の高い位置に設置された場合においても、光ディスクの装着の際にカバードアが邪魔にならず、光ディスクの装着作業が容易となる。
【図面の簡単な説明】
【図１】本発明の一実施形態による光ディスク装置のディスク装填部を示す斜視図。
【図２】同装置におけるカバードアを開いた状態でのディスク装填部の正面図。
【図３】（ａ）は同装置におけるカバードアを開いた状態でのディスク装填部の断面図、（ｂ）はカバードアを閉じた状態でのディスク装填部の断面図。
【図４】従来の縦置き型光ディスク装置を示す斜視図。
【符号の説明】
１    光ディスク装置
２    ディスク装填部
３    カバードア
４    レバー
５    ディスク受け部
６    ボス当接部（当接部）
１０    光ディスク
２２    ターンテーブル
３０    支軸
３１    ボス
４１    回動軸
４２    バネ（付勢手段）
【図１】
2005025858.tif 000003
【図２】
2005025858.tif 000004
【図３】
2005025858.tif 000005
【図４】
2005025858.tif 000006